(57)【要約】【課題】装着時のヘッドセット本体の傾きやぐらつきを抑えて携帯電話などの快適なハンズフリー通話をワイヤレスで実現する機能性に優れた耳掛け式ワイヤレスヘッドセットを提供する。【解決手段】ヘッドセット本体２のイヤホン部６が耳珠の内側窪み部に嵌り込むインナー型になっており、このイヤホン部６に対して耳掛けハンガー３の形状が耳殻４の付け根部分の形に沿って偏芯し、耳殻４の付け根部分上部から下部にかけて厚みが増すように形成し、装着時、耳殻４の付け根部分に対して隙間が殆どできずフィットする耳掛けハンガー３とインナー型のイヤホン部６とで耳殻４を挟み込み、装着時のヘッドセット本体２の傾きやぐらつきを抑え、装着安定性を向上する。【選択図】図１
2005328118.tif 000002
【特許請求の範囲】
【請求項１】
耳掛け式ワイヤレスヘッドセットにおいて、ヘッドセット本体のイヤホン部が耳珠の内側窪み部に嵌り込むインナー型になっており、このイヤホン部に対して耳掛けハンガーの形状が耳殻の付け根部分の形に沿って偏芯し、耳殻の付け根部分上部から下部にかけて厚みが増すように形成したことを特徴とする耳掛け式ワイヤレスヘッドセット。
【請求項２】
イヤホン部の先端放音部と耳掛けハンガーは、ヘッドセット本体に対して上部より下部が接近するような傾斜平面に沿って配備され、ヘッドセット本体下端のマイク部がイヤホン部の先端放音部と耳掛けハンガーの傾斜方向に配備される請求項１に記載の耳掛け式ワイヤレスヘッドセット。
【請求項３】
イヤホン部の先端放音部が耳掛けハンガーより突出している請求項２に記載の耳掛け式ワイヤレスヘッドセット。
【請求項４】
耳掛けハンガーは、耳珠の前部から耳殻の付け根部分の上部を経て下部に到るように略つの字状に形成されたハンガー本体部と、ハンガー本体部の一端から耳孔と口元を結ぶ線に対して略直交するように耳珠の前斜め下部に一直線状に一体延出されたハンガー軸部とを有し、ハンガー軸部をヘッドセット本体に対してイヤホン部より下部で左側方又は右側方から差し込み固定することによりハンガー本体部がインナー型のイヤホン部を囲うように取り付けられる請求項１に記載の耳掛け式ワイヤレスヘッドセット。
【請求項５】
ハンガー本体部における耳殻の付け根部分上部から下部にかけての断面形状をＵ字状に形成し、耳殻の付け根部分上部から下部にかけての厚みに応じてＵ字溝の深さが増すように形成する請求項４に記載の耳掛け式ワイヤレスヘッドセット。
【請求項６】
ハンガー本体部とハンガー軸部とを硬質樹脂で一体形成し、ハンガー本体部の始端部から終端部を軟質樹脂で被覆する請求項４に記載の耳掛け式ワイヤレスヘッドセット。
【請求項７】
ハンガー本体部における耳殻の付け根部分上部の湾曲部を弾性的に曲げ変形可能とし、使用者の耳の形や大きさなどの個人差に対応してハンガー本体部の大きさを調節可能に構成する請求項４に記載の耳掛け式ワイヤレスヘッドセット。
【請求項８】
ヘッドセット本体の内面におけるイヤホン部より下部にヘッドセット本体を左右に横切るような溝状の窪み部を備え、この窪み部の中央部にヘッドセット本体の左右何れからでも耳掛けハンガーのハンガー軸部が差し込み可能な貫通孔を有するハンガー取り付け部を備え、耳掛けハンガーの差し替えによりヘッドセット本体を左右何れの耳にも装着可能に構成する請求項１に記載の耳掛け式ワイヤレスヘッドセット。
【請求項９】
ハンガー軸部と貫通孔との嵌合面間で軸方向の位置決めを行うハンガー差し込み位置固定機構を備え、このハンガー差し込み位置固定機構は、嵌合面の一方に形成された係止溝と他方に形成されて係止溝に弾性的に係止する係止突起とからなり、この係止溝と係止突起の一方が軸方向に複数設けられ、使用者の耳の形や大きさなどの個人差に対応して耳掛けハンガーの差し込み固定位置を調節可能に構成する請求項８に記載の耳掛け式ワイヤレスヘッドセット。
【請求項１０】
ハンガー取り付け部の貫通孔をスリーブにより形成し、このスリーブは、ハンガー軸部の軸方向の摺動を許容して周方向の回転を規制し、ハンガー軸部と一体に回転可能にハンガー取り付け部に挿通保持され、耳掛けハンガーをハンガー軸部を中心にヘッドセット本体に対して回動可能に取り付け、このスリーブとハンガー取り付け部との間で周方向の位置決めを行うハンガー回動位置固定機構を備える請求項８に記載の耳掛け式ワイヤレスヘッドセット。
【請求項１１】
ハンガー回動位置固定機構は、ハンガー取り付け部に設けられてスリーブの外周面に常時押し付けられる板バネと、スリーブの外周面に所定の角度を持って連続形成される複数の平らな係止平面とからなり、１つの係止平面に対する板バネの押し付けにより耳掛けハンガーを所定の回動位置に固定可能に構成する請求項８に記載の耳掛け式ワイヤレスヘッドセット。
【請求項１２】
ヘッドセット本体は、細長の楕円形の第１ケース部と、この第１ケース部の長径側縁が第１ケース部の一端側に延ばされて一点に接続された略Ｖ字状の第２ケース部とを有し、第１ケース部と第２ケース部との間に略三角形の貫通部を有する全体として水滴状に形成された本体ケースを備え、第１ケース部の内面上部にインナー型のイヤホン部を備えると共に、第１ケース部の内面下部にヘッドセット本体を左右に横切るような溝状の窪み部を備え、この窪み部の中央部にヘッドセット本体の左右何れからでも耳掛けハンガーのハンガー軸部が差し込み可能な貫通孔を有するハンガー取り付け部を備え、第２ケース部の先端部にマイク部を備える請求項１に記載の耳掛け式ワイヤレスヘッドセット。
【請求項１３】
本体ケースは樹脂製の内ケース及び外ケースと、内ケースの一部を開閉可能に構成する電池蓋と、外ケースの第１ケース部表面を覆う樹脂製の化粧板とからなり、内ケース及び外ケースと電池蓋を同一色とし、化粧板を内ケース及び外ケースと電池蓋の色と同じ色又は異なる色にする請求項１２に記載の耳掛け式ワイヤレスヘッドセット。
【請求項１４】
化粧板を色の異なる他の化粧板と交換可能に構成する請求項１３に記載の耳掛け式ワイヤレスヘッドセット。
【請求項１５】
ヘッドセット本体には、Bluetooth送受信機を構成する回路基板と、回路基板上に実装するアンテナと、充電池などを内蔵する請求項１に記載の耳掛け式ワイヤレスヘッドセット。
【請求項１６】
ヘッドセット本体に配備されるスイッチ類は、ヘッドセット本体のハンガー取り付け部より上部に配置されている請求項１に記載の耳掛け式ワイヤレスヘッドセット。
【請求項１７】
ヘッドセット本体の外表面に配備されるスイッチ類は、ヘッドセット本体の長手方向中心線上で上下方向に一列状に配置され、ヘッドセット本体が左右何れの耳に装着されても位置関係が変わらないように構成する請求項１に記載の耳掛け式ワイヤレスヘッドセット。
【請求項１８】
ヘッドセット本体の外表面に配備されるスイッチ類は、スイッチ表面がヘッドセット本体の外表面に飛び出ないように、ヘッドセット本体の外表面に形成された窪み部の中で露出されている請求項１に記載の耳掛け式ワイヤレスヘッドセット。
【請求項１９】
ヘッドセット本体の外表面に配備される表示灯は、ヘッドセット本体の外表面に配備されたスイッチ類と同じヘッドセット本体の長手方向中心線上で一列状に配置されている請求項１７に記載の耳掛け式ワイヤレスヘッドセット。
【請求項２０】
ヘッドセット本体の外周側面に配備されるスイッチ類は、スイッチ表面がヘッドセット本体の外周側面より飛び出ないように、ヘッドセット本体の外周側面に形成された窪み部の中で露出されている請求項１に記載の耳掛け式ワイヤレスヘッドセット。
【請求項２１】
ヘッドセット本体の外周側面に配備される表示灯は、ヘッドセット本体の長手方向中心線上に配備されている請求項１に記載の耳掛け式ワイヤレスヘッドセット。
【請求項２２】
ヘッドセット本体に充電用端子を配備し、この充電用端子は、ヘッドセット本体のハンガー取り付け部より上部の外周側面に形成されて端子キャップにより開閉される孔部の中に収容されている請求項１に記載の耳掛け式ワイヤレスヘッドセット。
【請求項２３】
ヘッドセット本体にストラップ取り付け孔を配備し、このストラップ取り付け孔は、ヘッドセット本体のハンガー取り付け部より上部の外周側面に配置されている請求項１に記載の耳掛け式ワイヤレスヘッドセット。
【発明の詳細な説明】
【技術分野】
【０００１】
本発明は、携帯電話などのハンズフリー通話を実現するためのヘッドセットに関する。詳しくは、携帯電話などとワイヤレスで接続し、データ・音声の送受信を行うワイヤレスヘッドセットの中で、特に、耳掛けハンガーによりヘッドセット本体を耳に装着して使用する耳掛け式ワイヤレスヘッドセットに関する。
【背景技術】
【０００２】
携帯電話などのハンズフリー通話を実現するには、ヘッドセットを携帯電話などと接続する必要があるが、従来のヘッドセットでは接続コードで携帯電話などと接続されていた。このコード付きヘッドセットの中には、インナー型のイヤホンにマイク、耳掛けハンガーを一体に備えた耳掛け式のものがある。この耳掛け式コード付きヘッドセットでは、構造上、装着時の傾きやぐらつきといった問題はなく、装着安定性に優れているが、コード付きのために、他のコード付きヘッドセットと同様に、動きが制限されるといったハンズフリー通話では致命的な問題がある。一方、携帯電話などのハンズフリー通話をワイヤレス化することを目的に開発されたワイヤレスヘッドセットもあり、この中に耳掛けハンガーによりヘッドセット本体を耳に装着して使用するものがある（例えば、「特許文献１」参照。）。
【特許文献１】実用新案登録第３０７８８５８号公報
【発明の開示】
【発明が解決しようとする課題】
【０００３】
ワイヤレスヘッドセットでは、ケースにイヤホン、マイク、充電池、送受信機などを内蔵してヘッドセット本体を構成する必要があり、コード付きヘッドセットに比べて形も大きく、重量も重くなるため、特に耳掛け式のものでは、装着安定性を確保することが難しくなり、装着時にヘッドセット本体が傾いたりぐらつくといった問題が発生する。加えて、ヘッドセット本体が目立つためにデザインを重視する傾向にあり、ヘッドセット本体が水滴状に形成された従来の耳掛け式ワイヤレスヘッドセットでは、イヤホン部がヘッドセット本体の一端円弧部の中心に配備され、マイク部がヘッドセット本体の他端尖端部に配備され、耳掛けハンガーは、ヘッドセット本体に軸受けされるハンガー軸部からヘッドセット本体の他端円弧部に沿って円弧状に一体延出され、中心にイヤホン部が配備されたヘッドセット本体の一端円弧部の内面側にその外形より飛び出ないように取り付けられているが、耳掛けハンガーを耳に掛けることによりヘッドセット本体を耳の外側に片持ち状態で支えるだけの構造でありながら、耳掛けハンガーの形状が中心にイヤホン部が配備されたヘッドセット本体の他端円弧部に沿って円弧状に形成され、しかも耳の上部から下部にかけての厚みが薄く均一に形成されているため、耳に対して隙間ができフィットしないため、ヘッドセット本体を耳の外側に吊り下げるといった感じに近くなり、少し頭を振るとヘッドセット本体が傾いたりぐらついてしまい、装着安定性に欠けていた。このように、携帯電話などのハンズフリー通話を耳掛け式ワイヤレスヘッドセットで実現した場合は快適なハンズフリー通話を実現できなかった。
【０００４】
本発明の主たる目的は、装着時のヘッドセット本体の傾きやぐらつきを抑えて携帯電話などの快適なハンズフリー通話をワイヤレスで実現する機能性に優れた耳掛け式ワイヤレスヘッドセットを提供することにある。
【課題を解決するための手段】
【０００５】
上記の目的を達成するため本発明の耳掛け式ワイヤレスヘッドセットは、ヘッドセット本体のイヤホン部が耳珠の内側窪み部に嵌り込むインナー型になっており、このイヤホン部に対して耳掛けハンガーの形状が耳殻の付け根部分の形に沿って偏芯し、耳殻の付け根部分上部から下部にかけて厚みが増すように形成したことを特徴とする。
【０００６】
これにより、耳掛けハンガーとインナー型のイヤホン部とで耳殻を挟み込むことができ、しかも耳掛けハンガーが耳殻の付け根部分に対して隙間が殆どできずフィットするため、装着時のヘッドセット本体の傾きやぐらつきが抑えられ、装着安定性が向上する。
【０００７】
本発明では、イヤホン部の先端放音部と耳掛けハンガーは、ヘッドセット本体に対して上部より下部が接近するような傾斜平面に沿って配備され、ヘッドセット本体下端のマイク部がイヤホン部の先端放音部と耳掛けハンガーの傾斜方向に配備されることが望ましい。これにより、ヘッドセット本体が耳殻の外側から頬にかけて三次元的にフィットし、装着時のヘッドセット本体の傾きやぐらつきが抑えられ、ヘッドセット本体の装着安定性が向上する。またイヤホン部がインナー型で耳珠の内側窪み部に嵌り込み、かつヘッドセット本体下端のマイク部が口元に向き、ヘッドセット本来の通話機能が向上する。
【０００８】
本発明では、インナー型のイヤホン部の先端放音部が耳掛けハンガーより突出していることが望ましい。これにより、インナー型のイヤホン部を耳珠の内側窪み部に嵌め込む方向に付勢することができ、装着時のヘッドセット本体の傾きやぐらつきが抑えられ、ヘッドセット本体の装着安定性が向上する。
【０００９】
本発明では、耳掛けハンガーは、耳珠の前部から耳殻の付け根部分の上部を経て下部に到るように略つの字状に形成されたハンガー本体部と、ハンガー本体部の一端から耳孔と口元を結ぶ線に対して略直交するように耳珠の前斜め下部に一直線状に一体延出されたハンガー軸部とを有し、ハンガー軸部をヘッドセット本体に対してイヤホン部より下部で左側方又は右側方から差し込み固定することによりハンガー本体部がインナー型のイヤホン部を囲うように取り付けられることが望ましい。これにより、耳掛けハンガーがヘッドセット本体の重心近傍を支えるため、耳掛けハンガーにかかる回転モーメントが小さくなり、装着時のヘッドセット本体の傾きやぐらつきが抑えられ、ヘッドセット本体の装着安定性が向上する。
【００１０】
本発明では、ハンガー本体部における耳殻の付け根部分上部から下部にかけての断面形状をＵ字状に形成し、耳殻の付け根部分上部から下部にかけての厚みに応じてＵ字溝の深さが増すように形成することが望ましい。これにより、耳掛けハンガー成形時のヒケ防止を図ることができ、ハンガー本体部の耳殻の付け根部分上部から下部にかけての厚み形状を適正に得ることができる。
【００１１】
本発明では、ハンガー本体部とハンガー軸部とを硬質樹脂で一体形成し、ハンガー本体部の始端部から終端部を軟質樹脂で被覆することが望ましい。これにより、被覆が、滑り止めの役目を果たし、装着時のヘッドセット本体の傾きやぐらつきが抑えられ、ヘッドセット本体の装着安定性が向上する。また肌触りを軟らかくし、装着時の時間経過に伴って感ずる痛みや疲労感などを軽減する役目も果たし、装着感が向上する。
【００１２】
本発明では、ハンガー本体部における耳殻の付け根部分上部の湾曲部を弾性的に曲げ変形可能とし、使用者の耳の形や大きさなどの個人差に対応してハンガー本体部の大きさを調節可能に構成することが望ましい。これにより、使用者の耳の形や大きさなどの個人差を吸収して、耳掛けハンガーが耳殻の付け根部分に対して隙間が殆どできずフィットするため、装着時のヘッドセット本体の傾きやぐらつきが抑えられ、装着安定性が向上する。また耳掛けハンガーの掛け外しも容易に行うことができる。
【００１３】
本発明では、ヘッドセット本体の内面におけるイヤホン部より下部にヘッドセット本体を左右に横切るような溝状の窪み部を備え、この窪み部の中央部にヘッドセット本体の左右何れからでも耳掛けハンガーのハンガー軸部が差し込み可能な貫通孔を有するハンガー取り付け部を備え、耳掛けハンガーの差し替えによりヘッドセット本体を左右何れの耳にも装着可能に構成することが望ましい。これにより、装着できる耳が左右何れか一方に限定されることなく、使用者が自由に選択でき、利便性が向上する。
【００１４】
本発明では、ハンガー軸部と貫通孔との嵌合面間で軸方向の位置決めを行うハンガー差し込み位置固定機構を備え、このハンガー差し込み位置固定機構は、嵌合面の一方に形成された係止溝と他方に形成されて係止溝に弾性的に係止する係止突起とからなり、この係止溝と係止突起の一方が軸方向に複数設けられ、使用者の耳の形や大きさなどの個人差に対応して耳掛けハンガーの差し込み固定位置を調節可能に構成することが望ましい。これにより、使用者の耳の形や大きさなどの個人差に対応して、耳掛けハンガーが耳殻の付け根部分に対して隙間が殆どできずフィットするため、装着時のヘッドセット本体の傾きやぐらつきが抑えられ、装着安定性が向上する。
【００１５】
本発明では、ハンガー取り付け部の貫通孔をスリーブにより形成し、このスリーブは、ハンガー軸部の軸方向の摺動を許容して周方向の回転を規制し、ハンガー軸部と一体に回転可能にハンガー取り付け部に挿通保持され、耳掛けハンガーをハンガー軸部を中心にヘッドセット本体に対して回動（開閉）可能に取り付け、このスリーブとハンガー取り付け部との間で周方向の位置決めを行うハンガー回動位置固定機構を備えることが望ましい。これにより、耳掛けハンガーの取り付け／取り外し及び差し替えがインナー型のイヤホン部が邪魔にならない姿勢、すなわちヘッドセット本体に対して略直角に立つ姿勢で容易に行うことができる。また耳掛けハンガーをヘッドセット本体に対して略直角に立つ姿勢で取り付け、この状態で耳掛けハンガーを耳殻の付け根部分に掛けた後、ヘッドセット本体をハンガー軸部を中心に回動させてインナー型のイヤホン部が耳珠の内側窪み部に嵌り込み、かつヘッドセット本体下端のマイク部が口元に向くように装着することも行え、ヘッドセット本体の装着が容易に行うことができる。さらには耳の形や大きさなどの個人差に対応して、装着時の耳掛けハンガーの取り付け角度を調節することも適宜実施可能となる。
【００１６】
本発明では、ハンガー回動位置固定機構は、ハンガー取り付け部に設けられてスリーブの外周面に常時押し付けられる板バネと、スリーブの外周面に所定の角度を持って連続形成される複数の平らな係止平面とからなり、１つの係止平面に対する板バネの押し付けにより耳掛けハンガーを所定の回動位置に固定可能に構成することが望ましい。これにより、耳掛けハンガーの回動（開閉）時、クリック感（感触）を伴って位置固定でき、操作性が向上する。
【００１７】
本発明では、ヘッドセット本体は、細長の楕円形の第１ケース部と、この第１ケース部の長径側縁が第１ケース部の一端側に延ばされて一点に接続された略Ｖ字状の第２ケース部とを有し、第１ケース部と第２ケース部との間に略三角形の貫通部を有する全体として水滴状に形成された本体ケースを備え、第１ケース部の内面上部にインナー型のイヤホン部を備えると共に、第１ケース部の内面下部にヘッドセット本体を左右に横切るような溝状の窪み部を備え、この窪み部の中央部にヘッドセット本体の左右何れからでも耳掛けハンガーのハンガー軸部が差し込み可能な貫通孔を有するハンガー取り付け部を備え、第２ケース部の先端部にマイク部を備えることが望ましい。これにより、耳掛けハンガーから口元に向かって突出するヘッドセット本体下部の軽量化を図ることができるため、装着時のヘッドセット本体の傾きやぐらつきが抑えられ、ヘッドセット本体の装着安定性が向上する。
【００１８】
本発明では、本体ケースは樹脂製の内ケース及び外ケースと、内ケースの一部を開閉可能に構成する電池蓋と、外ケースの第１ケース部表面を覆う樹脂製の化粧板とからなり、内ケース及び外ケースと電池蓋を同一色とし、化粧板を内ケース及び外ケースと電池蓋の色と同じ色又は異なる色にすることが望ましい。これにより、化粧板を内ケース及び外ケースと電池蓋の色と同じ色とした場合は、ヘッドセット本体に一体感を出すことができ、異なる色にした場合は、化粧板部をより強調することができるなど、外観の向上に寄与する。
【００１９】
本発明では、化粧板を色の異なる他の化粧板と交換可能に構成することが望ましい。これにより、使用者の好みに応じた色の化粧板を取り付けることができ、ヘッドセット本体の色のバリエーションを全体的に変えるのに比べて多くすることができ、消費者の購買欲を刺激し、販促効果を得ることができる。
【００２０】
本発明では、ヘッドセット本体には、Bluetooth送受信機を構成する回路基板と、回路基板上に実装するアンテナと、充電池などを内蔵することが望ましい。これにより、Bluetooth対応機器であれば携帯電話やＰＣなど端末を選ばず使用できるBluetooth対応のヘッドセットを得ることができる。
【００２１】
本発明では、ヘッドセット本体に配備されるスイッチ類は、ヘッドセット本体のハンガー取り付け部より上部に配置されていることが望ましい。これにより、スイッチ操作時のヘッドセット本体の傾きやぐらつきが抑えられ、スイッチの操作性が向上する。
【００２２】
本発明では、ヘッドセット本体の外表面に配備されるスイッチ類は、ヘッドセット本体の長手方向中心線上で上下方向に一列状に配置され、ヘッドセット本体が左右何れの耳に装着されても位置関係が変わらないように構成することが望ましい。これにより、ヘッドセット本体が左右何れの耳に装着されても、ヘッドセット本体の外表面に配備されるスイッチの位置関係は同じであるため、通話中でもスイッチを見ずに片手で容易に操作できると共に、スイッチを間違いなく迅速に操作することができ、スイッチの操作性が向上する。
【００２３】
本発明では、ヘッドセット本体の外表面に配備されるスイッチ類は、スイッチ表面がヘッドセット本体の外表面に飛び出ないように、ヘッドセット本体の外表面に形成された窪み部の中で露出されていることが望ましい。これにより、誤ってスイッチを操作する誤動作を防止できる。
【００２４】
本発明では、ヘッドセット本体の外表面に配備される表示灯は、ヘッドセット本体の外表面に配備されたスイッチ類と同じヘッドセット本体の長手方向中心線上で一列状に配置されていることが望ましい。これにより、スイッチと表示灯とを明確に判別できるため、通話中でもスイッチを見ずに片手で容易に操作できると共に、スイッチを間違いなく迅速に操作することができ、スイッチの操作性が向上する。
【００２５】
本発明では、ヘッドセット本体の外周側面に配備されるスイッチ類は、スイッチ表面がヘッドセット本体の外周側面より飛び出ないように、ヘッドセット本体の外周側面に形成された窪み部の中で露出されていることが望ましい。これにより、誤ってスイッチを操作する誤動作を防止できる。
【００２６】
本発明では、ヘッドセット本体の外周側面に配備される表示灯は、ヘッドセット本体の長手方向中心線上に配備されていることが望ましい。これにより、ヘッドセット本体をテーブルなどの平らな面に載置した場合、表示灯がインナー型のイヤホン部で載置面から最も高く持ち上げられて見やすい位置で各種表示を行うため、表示灯の機能を十分に発揮させることができる。
【００２７】
本発明は、ヘッドセット本体に充電用端子を配備し、この充電用端子は、ヘッドセット本体のハンガー取り付け部より上部の外周側面に形成されて端子キャップにより開閉される孔部の中に収容されていることが望ましい。これにより、充電用端子に対する相手端子の挿抜がヘッドセット本体の太い部分を手で持った状態で容易に行うことができる。
【００２８】
本発明は、ヘッドセット本体にストラップ取り付け孔を配備し、このストラップ取り付け孔は、ヘッドセット本体のハンガー取り付け部より上部の外周側面に配置されていることが望ましい。これにより、ヘッドセット本体にストラップなどが取り付けられた場合でも、ヘッドセット本体の下部に重心が移るのを防止でき、装着安定性を確保する。
【発明の効果】
【００２９】
以上のように本発明によれば、耳掛けハンガーによりヘッドセット本体を耳の外側に片持ち状態で支えるだけでなく、耳殻の付け根部分との間に隙間が殆どできない耳掛けハンガーとインナー型のイヤホン部とで耳殻を挟み込むため、装着時のヘッドセット本体の傾きやぐらつきを抑えて携帯電話などの快適なハンズフリー通話をワイヤレスで実現する機能性に優れた耳掛け式ワイヤレスヘッドセットを提供できるという顕著な効果を奏する。
【発明を実施するための最良の形態】
【００３０】
以下、本発明の実施形態を図面に基づいて説明する。図１は本発明の実施形態による耳掛け式ワイヤレスヘッドセットの斜視図、図２は同耳掛け式ワイヤレスヘッドセットの正面図、図３は同耳掛け式ワイヤレスヘッドセットの背面図、図４は同耳掛け式ワイヤレスヘッドセットの左側面、図５は同耳掛け式ワイヤレスヘッドセットの右側面図、図６は同耳掛け式ワイヤレスヘッドセットの平面図、図７は同耳掛け式ワイヤレスヘッドセットの底面図、図８は同耳掛け式ワイヤレスヘッドセットを耳に装着した状態を示す斜視図である。
【００３１】
本実施形態の耳掛け式ワイヤレスヘッドセット１は、ヘッドセット本体２と耳掛けハンガー３とからなり、図８に示す如く、耳掛けハンガー３を耳殻４の付け根部分に掛けることにより、ヘッドセット本体２が耳殻４の外側から頬にかけて前下がり傾斜姿勢で装着される。このヘッドセット本体２は、下窄まりの水滴状に形成された本体ケース５により外殻が構成され、Bluetooth（2.4ＧＨＺ帯域の電波を使用し、ＰＣ、ＰＤＡ、携帯電話、デジタルカメラといった電子機器間で、音声・データのワイヤレス通信を、半径１０メートル以内の狭い範囲で実現する短距離無線通信の規格・技術）送受信機を構成する回路基板、この回路基板上に実装するアンテナ、充電池（バッテリー）などが内蔵されると共に、装着時において、耳殻４に対向する内面上部にイヤホン部６が配備され、耳殻４の外側より前斜め下方に突出する下部の端部にマイク部７が配備され、外表面に押しボタン式のフックスイッチ８及びプラス・マイナス一対のボリュームスイッチ９，１０、電源用の表示灯（ＬＥＤ）１１が配備され、外周側面にスライド式の電源スイッチ１２、充電端子キャップ１３、充電用の表示灯（ＬＥＤ）１４、ストラップ取り付け孔１５が配備されており、電源スイッチ１２をオン位置にスライド操作して電源を入れると、電源用の表示灯１１が点灯すると共に、携帯電話などとBluetoothで接続され、電話がかかるとイヤホン部６に内蔵されたスピーカーから着信音が鳴り、フックスイッチ８を押すことで電話に出ることができ、イヤホン部６から相手の声が聞こえ、こちらの声はマイク部７から先方に伝わり、携帯電話などのハンズフリー通話をワイヤレスで実現する。そして、再度フックスイッチ８を押すことで電話を切ることができる。またスピーカー音は、プラス・マイナス一対のボリュームスイッチ９，１０を押すことで調節することができる。さらに充電地に充電する場合は、充電アダプタの電源プラグを家庭用の交流１００Ｖコンセントに差し込むと共に、充電端子キャップ１３を開け、充電端子キャップ１３で塞がれていた孔の中に収容されている充電用端子（ジャック）に充電アダプタの充電用端子（プラグ）を差し込むことで、充電用の表示灯１４が、例えば赤く点灯し、充電が開始される。充電が終わると充電用の表示灯１４が、例えば緑の点灯になり、ジャックからプラグを抜き去ると充電用の表示灯１４は消灯する。
【００３２】
次に、本実施形態の耳掛け式ワイヤレスヘッドセット１の各部の具体構成について説明する。図１乃至図８に示す如く、本体ケース５は、細長の楕円形の第１ケース部１６と、この第１ケース部１６の長径側縁が第１ケース部１６の下端側に延ばされて一点に接続された略Ｖ字状の第２ケース部１７とを有し、第１ケース部１６と第２ケース部１７との間に略三角形の貫通部１８を有する全体として下窄まりの水滴状に形成される。この本体ケース５は、樹脂材料よりなり、やや深い内ケース１９と、内ケース１９に嵌合されるやや浅い外ケース２０と、内ケース１９における第１ケース部１６の下部を開閉可能に構成するビス止めの電池蓋２１と、外ケース２０における第１ケース部１６の表面を覆う細長の楕円形の化粧板２２とで構成される。
【００３３】
そして、本体ケース５における、第１ケース部１６に、Bluetooth送受信機を構成する回路基板、この回路基板上に実装するアンテナ、充電池などが内蔵される。イヤホン部６は、内ケース１９における第１ケース部１６の上部から中間部が括れた円筒状（鼓状）で突出形成される胴部２３と、この胴部２３の先端部に形成されてスピーカーが内蔵される胴部２３よりやや径大な円盤状の先端放音部２４とで構成され、インナー型（差し込み型）になっており、平らに近い球面状に形成された先端放音部２４の表面に多数のイヤホン音孔２５が形成される。第２ケース部１７の頂部に、マイクロフォンが内蔵され、内ケース１９における第２ケース部１７の頂部にマイク音孔２６が形成され、第２ケース部１７の頂部がマイク部７になっている。
【００３４】
このようにして、ヘッドセット本体２が下窄まりの水滴状に形成され、ヘッドセット本体２の下部の軽量化が図られ、そのヘッドセット本体２の下部、具体的には第１ケース部１６と第２ケース部１７との間に、さらなる軽量化のための貫通部１８を備える。またヘッドセット本体２の内面上部、具体的には第１ケース部１６の内面上部にイヤホン部６を備え、このイヤホン部６が耳珠の内側に嵌り込むインナー型になっている。さらにヘッドセット本体２の下端部、具体的には第２ケース部１７の頂部にマイク部７を備える。
【００３５】
また、内ケース１９における第１ケース部１６の電池蓋２１の下部には、該部を左右に横切るような断面略Ｕ字形の溝状に形成される窪み部２７を備える。この窪み部２７の中央部に、耳掛けハンガー３を取り付けるためのハンガー取り付け部２８を備える。
【００３６】
このようにして、ヘッドセット本体２の内面におけるイヤホン部６より下部、具体的には第１ケース部１６の内面下部に、ヘッドセット本体２を横切るような溝状の窪み部２７を備え、この窪み部２７の中央部にハンガー取り付け部２８を備える。
【００３７】
そして、外ケース２０における化粧板１１の表面に、フックスイッチ８及びボリュームスイッチ９，１０、電源用の表示灯１１が配備され、このうち、フックスイッチ８及びボリュームスイッチ９，１０が、ハンガー取り付け部２８より上部に配備される。フックスイッチ８とボリュームスイッチ９，１０、電源用の表示灯１１は、この順に上から下に向かってヘッドセット本体２の長手方向中心線上で一列状に配置され、上部のフックスイッチ８は、細長の上向きＶ字形状に形成され、下部の電源用の表示灯１１は、短い下向きＶ字形状に形成され、フックスイッチ８と電源用の表示灯１１間のボリュームスイッチ９，１０は、それぞれ米粒よりやや大きい細長の楕円形状に形成される。フックスイッチ８及びボリュームスイッチ９，１０は、それぞれの表面が、化粧板２２の表面に形成された浅い窪み部２９，３０の中で露出される。
【００３８】
このようにして、ヘッドセット本体２の外表面に配備されるスイッチ８，９、１０類は、ヘッドセット本体２のハンガー取り付け部２８より上部に配置される。またヘッドセット本体２が左右何れの耳に装着されても位置関係が変わらないように、ヘッドセット本体２の長手方向中心線上で上下方向に一列状に配置される。さらにスイッチ８，９、１０表面がヘッドセット本体２の外表面に飛び出ないように、ヘッドセット本体２の外表面に形成された窪み部２９，３０の中で露出される。ヘッドセット本体２の外表面に配備される表示灯１１は、ヘッドセット本体２の外表面に配備されたスイッチ８，９、１０類と同じヘッドセット本体２の長手方向中心線上で一列状に配置される。
【００３９】
また、ハンガー取り付け部２８より上部となる本体ケース５の外周側面に、電源スイッチ１２、充電端子キャップ１３、充電用の表示灯１４、ストラップ取り付け孔１５が配備され、このうち、電源スイッチ１２は、本体ケース７のケース横幅が最も広くなる部分の外周側面に配備され、充電用の表示灯１４は、本体ケース７の長手方向中心線上となる上端中央部の外周側面に配備され、充電用端子キャップ１３は、本体ケース５の電源スイッチ１２と充電用の表示灯１４との間の外周側面に配備され、ストラップ取り付け孔１５は、本体ケース７の充電用の表示灯１４を挟んで充電端子キャップ１３と反対側の外周側面に配備される。電源スイッチ１２は、表面が本体ケース７の外周側面に形成された窪み部３１の中で露出される。
【００４０】
このようにして、ヘッドセット本体２の外周側面に配備されるスイッチ１２類は、ヘッドセット本体２のハンガー取り付け部２８より上部に配置される。またスイッチ１２表面がヘッドセット本体２の外周側面より飛び出ないように、ヘッドセット本体２の外周側面に形成された窪み部３１の中で露出される。さらにヘッドセット本体２の外周側面に配備される表示灯１４は、ヘッドセット本体２の長手方向中心線上に配備される。ヘッドセット本体２に充電用端子を配備し、この充電用端子は、ヘッドセット本体２のハンガー取り付け部２８より上部の外周側面に形成されて端子キャップ１３により開閉される孔部の中に収容される。またヘッドセット本体２にストラップ取り付け孔１５を配備し、このストラップ取り付け孔１５は、ヘッドセット本体２のハンガー取り付け部２８より上部の外周側面に配置される。
【００４１】
ところで、本体ケース５を構成している内ケース１９、外ケース２０、電池蓋２１、化粧板２２のうち、内ケース１９、外ケース２０、電池蓋２１を同一色、例えば黒とし、化粧板２２を内ケース１９、外ケース２０、電池蓋２１と同じ色又は異なる色、例えばシルバーにする。この化粧板２２は、外ケース２０における第１ケース部１６の表面に着脱自在に取り付けられる。
【００４２】
このようにして、本体ケース５は、樹脂製の内ケース１９及び外ケース２０と、内ケース１９の一部を開閉可能に構成する電池蓋２１と、外ケース２０の第１ケース部表面を覆う樹脂製の化粧板２２とからなり、内ケース１９及び外ケース２０と電池蓋２１を同一色とし、化粧板２２を内ケース１９及び外ケース２０と電池蓋２１の色と同じ色又は異なる色にする。また化粧板２２は色の異なる他の化粧板２２と交換可能となる。
【００４３】
ヘッドセット本体２における内面、具体的には内ケース１９におけるハンガー取り付け部２８の表面とこれより上部の電池蓋２１の表面とに、シール状の名盤３２，３３が貼り付けられる。
【００４４】
図９は耳掛けハンガー全体の縦断面図、図１０は耳掛けハンガーの耳殻上部から下部にかけての断面形状を示す断面図、図１１は耳掛けハンガーのハンガー軸部の斜視図、図１２はヘッドセット本体のハンガー取り付け部の断面図である。
【００４５】
図１乃至図８及び図９乃至図１１に示す如く、耳掛けハンガー３は、樹脂材料よりなり、耳珠の前部から耳殻４の付け根部分の上部を経て下部に到るように略つの字状に形成されたハンガー本体部３４と、ハンガー本体部３４の一端から耳孔と口元を結ぶ線に対して略直交するように耳珠の前斜め下部に一直線状に一体延出されたハンガー軸部３５とを有する。一方、図３及び図１２に示す如く、上記のように、ヘッドセット本体２の内面におけるイヤホン部６より下部、具体的には第１ケース部１６の内面下部に、ヘッドセット本体２を横切るような溝状の窪み部２７を備えて、この窪み部２７の中央部に備えたハンガー取り付け部２８は、窪み部２７の中央部に一体形成される軸受け部３６と、この軸受け部３６により周方向の動き（回転）が許容されて軸方向の動き（摺動）が規制された状態で、窪み部２７の中央底部に左右横向きに軸支されるスリーブ３７とで構成され、ハンガー取り付け部２８より左側の窪み部２７と右側の窪み部２７とが、スリーブ３７の貫通孔３８により連通される。耳掛けハンガー３は、ハンガー軸部３５を、ヘッドセット本体２の左側方又は右側方から窪み部２７に沿って、ハンガー取り付け部２８におけるスリーブ３７の貫通孔３８に差し込むことにより、後述するハンガー差し込み位置固定機構３９により軸方向の位置決めを行い、また後述するハンガー回動位置固定機構４０により図１３における仮想線に示すハンガー差し替え位置（開位置）とセット装着位置（閉位置）との２位置にて周方向の動き（回転）を規制し、ヘッドセット本体２にハンガー差し替え位置（開位置）とセット装着位置（閉位置）の間で回動（開閉）可能に、かつその２位置で位置固定可能に取り付けられる。
【００４６】
図９、図１１、図１２に示す如く、ハンガー軸部３５とスリーブ３７の相対的な軸方向の動き（摺動）を許容して、周方向の動き（回転）を規制するような軸と孔の結合手段４１を備える。この結合手段４１としては、慣用されるキーやスプライン、断面多角形の軸とこれに嵌合する孔との組み合わせ、などが採用できるが、本実施形態では、ハンガー軸部３５の断面形状をＤ形状に形成すると共に、このハンガー軸部３５と嵌合するようにスリーブ３７の孔形状（貫通孔３８の形状）もＤ形状に形成し、これにより、スリーブ３７とハンガー軸部３５は一体に回転することとなる。
【００４７】
また、ハンガー差し込み位置固定機構３９は、ハンガー軸部３５とスリーブ３７との嵌合面、すなわちハンガー軸部３５の外周面とスリーブ３７の内周面（貫通孔３８の周壁）との間で、ハンガー軸部３５の軸方向の位置決めを行うもので、ハンガー軸部３５の外周面に形成される係止溝４２と、スリーブ３７の内周面（貫通孔３８の周壁）に突出形成されて係止溝４２に弾性的に係止する係止突起４３とからなり、係止溝４２がハンガー軸部３５の軸方向に所定の間隔で複数（本実施形態では３本）並んて設けられ、図３に示すように、使用者の耳の形や大きさなどの個人差に対応して耳掛けハンガー３におけるハンガー軸部３５の差し込み固定位置が数段階（本実施形態では３段階）で調節可能に構成される。なお、ハンガー軸部３５の外周面に係止突起４２を形成し、スリーブ３７の内周面に複数の係止溝４１を形成してもよい。また係止突起４２を複数設け、係止溝４１を１つにしてもよい。
【００４８】
さらに、ハンガー回動位置固定機構４０は、結合手段４１によりハンガー軸部３５と一体回転するようにしたスリーブ３７とハンガー取り付け部２８との間でそのスリーブ３７の周方向の位置決めを行うもので、ハンガー取り付け部２８に両端が保持されてスリーブ３７の外周接線方向に張設され、スリーブ３７の外周面に中間部を常時押し付ける板バネ４４と、スリーブ３７の外周面に所定の角度を持って連続形成されて、耳掛けハンガー３がハンガー差し替え位置に回動したときに板バネ４４に重ね合わされる第１の係止平面４５及び耳掛けハンガー３がセット装着位置に回動したときに板バネ４４に重ね合わされる第２の係止平面４６とからなり、耳掛けハンガー３をハンガー差し替え位置とセット装着位置の２つの回動位置で固定可能に構成する。なお、第１の係止平面４５と第２の係止平面４６の間をさらに他の係止平面でつなぐことで、ハンガー差し替え位置とセット装着位置の２つの回動位置の間の回動位置でも耳掛けハンガー３を固定できるようになる。
【００４９】
そして、図１３の仮想線に示す如く、ハンガー差し替え位置は、耳掛けハンガー３のハンガー本体部３４が、ヘッドセット本体２に対して略直角に立つような回動位置に設定されており、ヘッドセット本体２に対する耳掛けハンガー３の取り付け／取り外し及び差し替え、すなわちハンガー取り付け部２８のスリーブ３７に対するハンガー軸部３５の挿抜が、イヤホン部６とハンガー本体部３４とが干渉しない姿勢で容易に行えることとなる。また図１３の実線及び図４に示す如く、セット装着位置は、耳掛けハンガー３のハンガー本体部３４が、ヘッドセット本体２に対して上部に行くに連れて離反する開き角度θ１（本実施形態では約１０度）が付く傾斜姿勢で、イヤホン部６における胴部２３の周囲に位置して、先端放音部２４がハンガー本体部３４より突出するような回動位置に設定される。
【００５０】
また、図４に示す如く、イヤホン部６の先端放音部２４は、セット装着位置での耳掛けハンガー３におけるハンガー本体部３４に沿って突出するように、ヘッドセット本体３に対して略同じ開き角θ２が付く傾斜姿勢で胴部２３の先端部に形成される。これにより、ヘッドセット本体２下端のマイク部７が、イヤホン部６の先端放音部２４と耳掛けハンガーの傾斜方向に配備されることとなる。これにより、ヘッドセット本体２は、装着時には、耳殻４の外側に前下がり傾斜姿勢で、しかもヘッドセット本体２の下部が内側に振られた状態で装着され、マイク部７は顔面から離れることなく口元に向くこととなる。
【００５１】
このようにして、耳掛けハンガー３は、耳珠の前部から耳殻４の付け根部分の上部を経て下部に到るように略つの字状に形成されたハンガー本体部３４と、ハンガー本体部３４の一端から耳孔と口元を結ぶ線に対して略直交するように耳珠の前斜め下部に一直線状に一体延出されたハンガー軸部３５とを有し、ハンガー軸部３５をヘッドセット本体２に対してイヤホン部６より下部で左側方又は右側方から差し込み固定することにより、ハンガー本体部３４がインナー型のイヤホン部６を囲うように取り付けられる。またイヤホン部６の先端放音部２４と耳掛けハンガー３は、ヘッドセット本体２に対して上部より下部が接近するような傾斜平面に沿って配備され、ヘッドセット本体２下端のマイク部７がイヤホン部６の先端放音部２４と耳掛けハンガー３の傾斜方向に配備される。さらにイヤホン部６の先端放音部２４が耳掛けハンガー３より突出する。
【００５２】
さらには、ヘッドセット本体２の内面におけるイヤホン部６より下部にヘッドセット本体２を左右に横切るような溝状の窪み部２７を備え、この窪み部２７の中央部にヘッドセット本体２の左右何れからでも耳掛けハンガー３のハンガー軸部３５が差し込み可能な貫通孔３８を有するハンガー取り付け部２８を備え、耳掛けハンガー３の差し替えによりヘッドセット本体２を左右何れの耳にも装着可能に構成する。図１乃至図８、図１３及び図１４は、ヘッドセット本体２を左の耳に装着する場合の耳掛けハンガー３の差し込み状態を示し、図１５にヘッドセット本体を右の耳に装着する場合の耳掛けハンガー３の差し替え状態を示す。またハンガー軸部３５と貫通孔３８との嵌合面間で軸方向の位置決めを行うハンガー差し込み位置固定機構３９を備え、このハンガー差し込み位置固定機構３９は、嵌合面の一方に形成された係止溝４２と他方に形成されて係止溝４２に弾性的に係止する係止突起４３とからなり、この係止溝４２と係止突起４３の一方が軸方向に複数設けられ、使用者の耳の形や大きさなどの個人差に対応して耳掛けハンガー３の差し込み固定位置を調節可能に構成する。さらにハンガー取り付け部２８の貫通孔３８をスリーブ３７により形成し、このスリーブ３７は、ハンガー軸部３５の軸方向の摺動を許容して周方向の回転を規制し、ハンガー軸部３５と一体に回転可能にハンガー取り付け部２８に挿通保持され、耳掛けハンガー３をハンガー軸部３５を中心にヘッドセット本体２に対して回動可能に取り付け、このスリーブ３７とハンガー取り付け部２８との間で周方向の位置決めを行うハンガー回動位置固定機構４０を備える。ハンガー回動位置固定機構４０は、ハンガー取り付け部２８に設けられてスリーブ３７の外周面に常時押し付けられる板バネ４４と、スリーブ３７の外周面に所定の角度を持って連続形成される複数の平らな係止平面４５，４６とからなり、１つの係止平面４５又は４６に対する板バネ４４の押し付けにより耳掛けハンガー３をハンガー差し替え位置とセット装着位置など所定の回動位置に固定可能に構成する。
【００５３】
ところで、図３、図９及び図１０に示す如く、耳掛けハンガー３は、セット装着位置に取り付けたとき、ハンガー本体部３４がイヤホン部６に対して、耳殻４の付け根部分に沿うように偏芯し、歪んだ円弧形状に形成される。詳しくはハンガー本体部３４の先端部がイヤホン部６に対して、耳掛けハンガー３をヘッドセット本体２に差し込むときの配設側（ヘッドセット本体２の左右一側方）と反対側に回り込み、かつハンガー本体部３４とイヤホン部６との間隔が、ハンガー本体部３４の先端部で最も狭くなるように、ハンガー本体部３４がイヤホン部６を囲うように、イヤホン部６に対して耳掛けハンガー３をヘッドセット本体２に差し込むときの配設側（ヘッドセット本体２の左右一側方）に偏った形態で略つの字状に形成される。
【００５４】
また、ハンガー本体部３４において、耳殻４の付け根部分上部に掛かる頂部湾曲部４７より一側のハンガー軸部３５につながる基部４８は、丸棒状のアーム形態に形成される一方、頂部湾曲部４７より他側の先端部４９は、耳殻４の付け根部分上部から下部にかけて、径方向の厚み並びに耳殻４の付け部分の頭部との隙間に対応する厚みが共に増して行くようにパッド形態に形成され、しかもこの先端部４９の断面形状は、成形時のヒケを防止するため、内周側より外周側が若干肉厚となるような上向きに開いた断面Ｕ字状形成され、耳殻４の付け根部分上部から下部にかけての厚みに応じてＵ字溝５０の大きさ及び深さが増すように形成される。ハンガー本体部３４はこの薄肉部分となる頂部湾曲部４７にて弾性的に曲げ変形可能となり、使用者の耳の形や大きさなどの個人差に対応して大きさが調節可能となる。
【００５５】
さらに、耳掛けハンガー３は、ハンガー本体部３４及びハンガー軸部３５を硬質樹脂で一体形成し、ハンガー本体部３４の基部４８の途中から先端部４９の表面を軟質樹脂で被覆５１する。
【００５６】
このようにして、ヘッドセット本体２のイヤホン部６が耳珠の内側窪み部に嵌り込むインナー型になっており、このイヤホン部６に対して耳掛けハンガー３の形状が耳殻４の付け根部分の形に沿って偏芯し、耳殻４の付け根部分上部から下部にかけて厚みが増すように形成する。またハンガー本体部３４における耳殻４の付け根部分上部から下部にかけての断面形状をＵ字状に形成し、耳殻４の付け根部分上部から下部にかけての厚みに応じてＵ字溝５０の深さが増すように形成する。ハンガー本体部３４における耳殻４の付け根部分上部の湾曲部４７を弾性的に曲げ変形可能とし、使用者の耳の形や大きさなどの個人差に対応してハンガー本体部の大きさを調節可能に構成する。さらにハンガー本体部３４とハンガー軸部３５とを硬質樹脂で一体形成し、ハンガー本体部３４の始端部から終端部を軟質樹脂で被覆する。
【００５７】
次に、本実施形態の耳掛け式ワイヤレスヘッドセット１の装着方法について説明する。まず、ヘッドセット本体２と耳掛けハンガー３とを分離した状態から左の耳に装着する場合について説明すると、ヘッドセット本体２を内面が顔面に向くように左手で保持し、耳掛けハンガー３をハンガー軸部３５の先端が左側に向くように右手で保持する。この状態からハンガー本体部３４がヘッドセット本体２に対して直角になる姿勢で、ハンガー軸部３５を窪み部２７に沿ってハンガー取り付け部２８のスリーブ３７に差し込む。これにより、耳掛けハンガー３が、ハンガー差し込み位置固定機構３９とハンガー回動位置固定機構４０の働きにより、図１３の仮想線に示すハンガー差し込み位置でヘッドセット本体２に取り付けられる。この状態から、ハンガー本体部３４をイヤホン部６側に倒すことにより、ハンガー軸部３５とスリーブ３７が共に回転し、ハンガー回動位置固定機構４０の第１係止平面４５に押し付けられていた板バネ４４が第２係止平面４６に押し付けられ、耳掛けハンガー３が、図１３の実線に示すセット装着位置でヘッドセット本体２に取り付けられると共に、この際、第１係止平面４５と第２係止平面４６との間の角部が板バネ４４を外側に撓ませて乗り越えるため、良好なクリック感（感触）を伴って、耳掛けハンガー３がセット装着位置でヘッドセット本体２に取り付けられ、耳掛け式ワイヤレスヘッドセット１が、図１乃至図７に示す左仕様の状態に組み立てられる。そして、組み立て状態の左仕様の耳掛け式ワイヤレスヘッドセット１を左手で保持し、ハンガー本体部３４を左の耳殻４の付け根部分に掛けると共に、インナー型のイヤホン部６の先端放音部２４を耳珠の内側窪み部に嵌め込むことにより、図８に示す如く、このハンガー本体部３４とインナー型のイヤホン部６とで耳殻４を挟み込んだ状態で、ヘッドセット本体２が、左の耳殻４の外側から頬にかけて前下がり傾斜姿勢で、かつ下端部が内側に振られてマイク部７が口元に向く姿勢で装着される。
【００５８】
そして、耳掛け式ワイヤレスヘッドセット１を左の耳から右の耳に付け替える場合は、左手で耳掛け式ワイヤレスヘッドセット１を左の耳から取り外してヘッドセット本体２の内面が顔面に向くように保持する。この状態から、ヘッドセット本体２を左手で保持し、右手でハンガー本体部３４をヘッドセット本体２に対して略直角に立たせるように起こすことにより、ハンガー軸部３５とスリーブ３７が共に逆回転し、ハンガー回動位置固定機構４０の第２係止平面４６に押し付けられていた板バネ４４が第１係止平面４５に押し付けられ、耳掛けハンガー３が、再び図１３の仮想線に示すハンガー差し込み位置でヘッドセット本体２に取り付けられると共に、この際、第１係止平面４５と第２係止平面４６との間の角部が板バネ４４を外側に撓ませて乗り越えるため、良好なクリック感（感触）を伴って、耳掛けハンガー３がハンガー差し込み位置でヘッドセット本体２に取り付けられる。このハンガー差し込み位置にて、耳掛けハンガー３を左側方に引っ張り、ハンガー軸部３５を、窪み部２７に沿ってハンガー取り付け部２８のスリーブ３７から抜き去り、ヘッドセット本体２と耳掛けハンガー３とを分離する。この分離状態からヘッドセット本体２を内面が顔面に向くように右手で保持し、耳掛けハンガー３をハンガー軸部３５の先端が右側に向くように左手で保持するように、持ち手を左右逆にし、上記と同様の操作を行い、耳掛けハンガー３をヘッドセット本体２に対して差し替えることにより、耳掛け式ワイヤレスヘッドセット１が図１５に示す右仕様の状態に組み立てられる。そして、組み立て状態の右仕様の耳掛け式ワイヤレスヘッドセット１を右手で保持し、ハンガー本体部３４を右の耳殻４の付け根部分に掛けると共に、インナー型のイヤホン部６の先端放音部２４を耳珠の内側窪み部に嵌め込むことにより、このハンガー本体部３４とインナー型のイヤホン部６とで耳殻４を挟み込んだ状態で、ヘッドセット本体２が、右の耳殻４の外側から頬にかけて前下がり傾斜姿勢で、かつ下端部が内側に振られてマイク部７が口元に向く姿勢で装着される。
【００５９】
また、本実施形態の耳掛け式ワイヤレスヘッドセット１は、ヘッドセット本体２に対して耳掛けハンガー３をハンガー差し込み位置に取り付けた状態で、まずハンガー本体部３４を耳殻４の付け根部分に掛け、その後、ヘッドセット本体２をハンガー軸部３５回りで回動させて、インナー型のイヤホン部６の先端放音部２４を耳珠の内側窪み部に嵌め込む方法でも装着することができる。この場合、インナー型のイヤホン部６の先端放音部２４が耳珠の内側窪み部に嵌り込むと、耳掛けハンガー３がセット装着位置でヘッドセット本体２に取り付けられる。換言すれば、ヘッドセット本体２がセット装着位置で耳掛けハンガー３に固定される。この装着方法では、ハンガー本体部３４を耳殻４の付け根部分に掛けるときには、この内側にインナー型のイヤホン部６が存在しないため、ハンガー本体部３４を耳殻４の付け根部分に容易に掛けることができる。
【００６０】
ところで、耳殻４の付け根部分における、輪郭は、耳孔を中心としたきれいな円弧形状ではなく、耳孔に対しては偏芯し、歪んだ円弧形状であり、また頭部との隙間も、上部から下部の耳朶にかけて略一定ではなく、上部が狭く下部の耳朶にかけて大きくなっている。そして、耳掛けハンガー３のハンガー本体部４の形状がイヤホン部６を中心としたきれいな円弧形状で、しかも厚みも薄く略一定している場合には、耳殻４の付け根部分との間に隙間ができ、フィットしないため、少し頭を振るとヘッドセット本体２が傾いたりぐらついたりして、装着安定性に欠けることとなる。
【００６１】
これに対して、本実施形態の耳掛け式ワイヤレスヘッドセット１は、ヘッドセット本体２のイヤホン部６が耳珠の内側窪み部に嵌り込むインナー型になっており、このイヤホン部６に対して耳掛けハンガー３の形状が耳殻４の付け根部分の形に沿って偏芯し、耳殻４の付け根部分上部から下部にかけて厚みが増すように形成したことにより、装着時、耳掛けハンガー３とインナー型のイヤホン部６とで耳殻４を挟み込むことができ、しかも耳掛けハンガー３が耳殻４の付け根部分に対して隙間が殆どできずフィットするため、装着時のヘッドセット本体２の傾きやぐらつきが抑えられ、装着安定性に優れる。また安定した装着は、通話機能を十分に発揮できるうえ、使用者の動きも制限されず、快適なハンズフリー通話を実現する。さらに使用者に良好な装着感を与えると共に、装着時の時間経過に伴って感ずる痛みや疲労感なども軽減する。加えて、ヘッドセット本体２に配備されるフックスイッチ８やボリュームスイッチ９，１０など、装着状態で操作する必要のあるスイッチ類も良好に操作できる。
【００６２】
また、イヤホン部６の先端放音部２４と耳掛けハンガー３が、ヘッドセット本体２に対して上部より下部が接近するような傾斜平面に沿って配備され、ヘッドセット本体２下端のマイク部７がイヤホン部６の先端放音部２４と耳掛けハンガー３の傾斜方向に配備されたことにより、ヘッドセット本体２が耳殻４の外側から頬にかけて三次元的にフィットする点、インナー型のイヤホン部６の先端放音部２４が耳掛けハンガー３より突出し、ヘッドセット本体２を、インナー型のイヤホン部６が耳珠の内側窪み部に嵌り込む方向、すなわちヘッドセット本体２を耳殻４に押し付ける方向に付勢する点、耳掛けハンガー３が、耳珠の前部から耳殻４の付け根部分の上部を経て下部に到るように略つの字状に形成されたハンガー本体部３４と、ハンガー本体部３４の一端から耳孔と口元を結ぶ線に対して略直交するように耳珠の前斜め下部に一直線状に一体延出されたハンガー軸部３５とを有し、ハンガー軸部３５をヘッドセット本体２に対してイヤホン部６より下部で左側方又は右側方から差し込み固定することによりハンガー本体部３４がインナー型のイヤホン部６を囲うように取り付けたことにより、耳掛けハンガー３がヘッドセット本体２の重心近傍を支えるため、耳掛けハンガー３にかかる回転モーメントが小さくなる点、耳掛けハンガー３のハンガー本体部３４における耳殻３４の付け根部分上部から下部にかけての断面形状をＵ字状に形成し、耳殻４の付け根部分上部から下部にかけての厚みに応じてＵ字溝５０の深さが増すように形成したことにより、耳掛けハンガー３成形時のヒケ防止を図ることができ、優れた装着安定性を得るためのハンガー本体部３４の耳殻４の付け根部分上部から下部にかけての厚み形状を適正に得ることができる点、耳掛けハンガー３のハンガー本体部３４とハンガー軸部３５とを硬質樹脂で一体形成し、ハンガー本体部３４の始端部から終端部を軟質樹脂で被覆５１したことにより、被覆５１が、滑り止めの役目を果たす点、耳掛けハンガー３のハンガー本体部３４における耳殻４の付け根部分上部の湾曲部４７を弾性的に曲げ変形可能とし、使用者の耳の形や大きさなどの個人差に対応してハンガー本体部３４の大きさを調節可能に構成したことにより、使用者の耳の形や大きさなどの個人差を吸収して、耳掛けハンガー３が耳殻４の付け根部分に対して隙間が殆どできずフィットする点、ハンガー軸部３５と貫通孔３８との嵌合面間で軸方向の位置決めを行うハンガー差し込み位置固定機構３９を備え、このハンガー差し込み位置固定機構３９が、嵌合面の一方に形成された係止溝４２と他方に形成されて係止溝４２に弾性的に係止する係止突起４３とからなり、この係止溝４２と係止突起４３の一方が軸方向に複数設けられ、使用者の耳の形や大きさなどの個人差に対応して耳掛けハンガーの差し込み固定位置を調節可能に構成したことにより、使用者の耳の形や大きさなどの個人差に対応して、耳掛けハンガー３が耳殻４の付け根部分に対して隙間が殆どできずフィットする点、ヘッドセット本体２が、細長の楕円形の第１ケース部１６と、この第１ケース部１６の長径側縁が第１ケース部１６の一端側に延ばされて一点に接続された略Ｖ字状の第２ケース部１７とを有し、第１ケース部１６と第２ケース部１７との間に略三角形の貫通部１８を有する全体として水滴状に形成された本体ケース５を備え、第１ケース部１６の内面上部にインナー型のイヤホン部６を備えると共に、第１ケース部１６の内面下部にヘッドセット本体２を左右に横切るような溝状の窪み部２７を備え、この窪み部２７の中央部にヘッドセット本体２の左右何れからでも耳掛けハンガー３のハンガー軸部３５が差し込み可能な貫通孔３８を有するハンガー取り付け部２８を備え、第２ケース部１７の先端部にマイク部７を備えたことにより、耳掛けハンガー３から口元に向かって突出するヘッドセット本体２下部の軽量化を図ることができる点など、それぞれの構成がそれぞれ装着時のヘッドセット本体２の傾きやぐらつきを抑え、ヘッドセット本体２の装着安定性を向上する。
【００６３】
さらに、ヘッドセット本体２が耳殻４の外側から頬にかけて三次元的にフィットする点では、イヤホン部６がインナー型で耳珠の内側窪み部に嵌り込み、かつヘッドセット本体２下端のマイク部７が確実に口元に向くようになるため、ヘッドセット本体２の通話機能がより十分に発揮できるようになる。耳掛けハンガー３の被覆５１は、肌触りを軟らかくし、装着時の時間経過に伴って感ずる痛みや疲労感などを軽減する役目も果たし、使用者により良好な装着感を与える。使用者の耳の形や大きさなどの個人差に対応してハンガー本体部３４の大きさを調節可能に構成した点では、耳殻４の付け根部分に対する耳掛けハンガー３の掛け外しも容易に行うことができ、取り扱い性に優れる。
また。
【００６４】
また、本実施形態の耳掛け式ワイヤレスヘッドセット１は、ヘッドセット本体２の内面におけるイヤホン部６より下部にヘッドセット本体２を左右に横切るような溝状の窪み部２７を備え、この窪み部２７の中央部にヘッドセット本体２の左右何れからでも耳掛けハンガー３のハンガー軸部３５が差し込み可能な貫通孔３８を有するハンガー取り付け部２８を備え、耳掛けハンガー３の差し替えによりヘッドセット本体２を左右何れの耳にも装着可能に構成したことにより、装着できる耳が左右何れか一方に限定されることなく、使用者が自由に選択でき、利便性に優れる。
【００６５】
また、ハンガー取り付け部２８の貫通孔３８をスリーブ３７により形成し、このスリーブ３７は、ハンガー軸部３５の軸方向の摺動を許容して周方向の回転を規制し、ハンガー軸部３５と一体に回転可能にハンガー取り付け部２８に挿通保持され、耳掛けハンガー３をハンガー軸部３５を中心にヘッドセット本体２に対して回動（開閉）可能に取り付け、このスリーブ３７とハンガー取り付け部２８との間で周方向の位置決めを行うハンガー回動位置固定機構４０を備えたことにより、耳掛けハンガー３の取り付け／取り外し及び差し替えがインナー型のイヤホン部６が邪魔にならない姿勢、すなわちヘッドセット本体に対して略直角に立つ姿勢（ハンガー差し替え位置）で容易に行うことができ、取り扱い性に優れる。また耳掛けハンガー３をヘッドセット本体２に対して略直角に立つ姿勢（ハンガー差し替え位置）で取り付け、この状態で耳掛けハンガー３を耳殻４の付け根部分に掛けた後、ヘッドセット本体２をハンガー軸部３５を中心に回動させてインナー型のイヤホン部６が耳珠の内側窪み部に嵌り込み、かつヘッドセット本体２下端のマイク部７が口元に向くように装着することも行え、ヘッドセット本体２の装着が容易に行うことができ、取り扱い性に優れる。さらには耳の形や大きさなどの個人差に対応して、装着時の耳掛けハンガー３の取り付け角度を調節することも適宜実施可能となる。
【００６６】
また、ハンガー回動位置固定機構４０は、ハンガー取り付け部２８に設けられてスリーブ３７の外周面に常時押し付けられる板バネ４４と、スリーブ３７の外周面に所定の角度を持って連続形成される複数の平らな係止平面４５，４６とからなり、１つの係止平面４５又は４６に対する板バネ４４の押し付けにより耳掛けハンガー３をハンガー差し込み位置とセット装着位置などの所定の回動位置に固定可能に構成したことにより、耳掛けハンガー３の回動（開閉）時、クリック感（感触）を伴って位置固定でき、操作性・取り扱い性に優れ、質感も向上する。
【００６７】
また、本体ケース５は樹脂製の内ケース１９及び外ケース２０と、内ケース１９の一部を開閉可能に構成する電池蓋２１と、外ケース２０の第１ケース部１６表面を覆う樹脂製の化粧板２２とからなり、内ケース１９及び外ケース２０と電池蓋２１を同一色とし、化粧板２２を内ケース１９及び外ケース２０と電池蓋２１の色と同じ色又は異なる色にしたことにより、化粧板２２を内ケース１９及び外ケース２０と電池蓋２１の色と同じ色とした場合は、ヘッドセット本体２に一体感を出すことができ、異なる色にした場合は、化粧板２２部をより強調することができるなど、外観の向上に寄与し、意匠性に優れる。
【００６８】
また、本体ケース５の化粧板２２を色の異なる他の化粧板２２と交換可能に構成したことにより、使用者の好みに応じた色の化粧板２２を取り付けることができ、ヘッドセット本体２の色のバリエーションを全体的に変えるのに比べて多くすることができ、消費者の購買欲を刺激し、販促効果を得ることができる。
【００６９】
また、ヘッドセット本体２には、Bluetooth送受信機を構成する回路基板と、回路基板上に実装するアンテナと、充電池などを内蔵したことにより、Bluetooth対応機器であれば携帯電話やＰＣなど端末を選ばず使用できるBluetooth対応のヘッドセットを得ることができる。
【００７０】
また、ヘッドセット本体２に配備されるスイッチ８，９，１０，１２類が、ヘッドセット本体２のハンガー取り付け部２８より上部に配置されたことにより、スイッチ操作時のヘッドセット本体２の傾きやぐらつきが抑えられる点、ヘッドセット本体２の外表面に配備されるスイッチ８，９，１０類が、ヘッドセット本体２の長手方向中心線上で上下方向に一列状に配置され、ヘッドセット本体２が左右何れの耳に装着されても位置関係が変わらないように構成したことにより、ヘッドセット本体２が左右何れの耳に装着されても、ヘッドセット本体２の外表面に配備されるスイッチ８，９，１０の位置関係が同じであるため、通話中でもスイッチ８，９，１０を見ずに片手で容易に操作できると共に、スイッチ８，９，１０を間違いなく迅速に操作することができる点、ヘッドセット本体２の外表面に配備されるスイッチ８，９，１０類が、スイッチ８，９，１０表面がヘッドセット本体２の外表面に飛び出ないように、ヘッドセット本体２の外表面に形成された窪み部２９，３０の中で露出されたことにより、誤ってスイッチ８，９，１０を操作する誤動作を防止できる点、ヘッドセット本体２の外表面に配備される表示灯１１が、ヘッドセット本体２の外表面に配備されたスイッチ８，９，１０類と同じヘッドセット本体２の長手方向中心線上で一列状に配置されたことにより、スイッチ８，９，１０と表示灯１１とを明確に判別できるため、通話中でもスイッチ８，９，１０を見ずに片手で容易に操作できると共に、スイッチ８，９，１０を間違いなく迅速に操作することができる点、ヘッドセット本体２の外周側面に配備されるスイッチ１２類が、スイッチ１２表面がヘッドセット本体２の外周側面より飛び出ないように、ヘッドセット本体２の外周側面に形成された窪み部３１の中で露出されたことにより、誤ってスイッチ１２を操作する誤動作を防止できる点など、それぞれの構成がそれぞれスイッチ類の操作性を向上する。
【００７１】
また、ヘッドセット本体２の外周側面に配備される表示灯１４が、ヘッドセット本体２の長手方向中心線上に配備されたことにより、ヘッドセット本体２をテーブルなどの平らな面に載置した場合、表示灯１４がインナー型のイヤホン部６で載置面から最も高く持ち上げられて見やすい位置で各種表示を行うため、表示灯１４の機能を十分に発揮させることができる。
【００７２】
また、ヘッドセット本体２に充電用端子を配備し、この充電用端子が、ヘッドセット本体２のハンガー取り付け部２８より上部の外周側面に形成されて端子キャップ１３により開閉される孔部の中に収容されたことにより、充電用端子に対する相手端子の挿抜がヘッドセット本体２の太い部分を手で持った状態で容易に行うことができ、操作性・取り扱い性に優れる。
【００７３】
また、ヘッドセット本体２にストラップ取り付け孔１５を配備し、このストラップ取り付け孔１５が、ヘッドセット本体２のハンガー取り付け部２８より上部の外周側面に配置されたことにより、ヘッドセット本体２にストラップなどが取り付けられた場合でも、ヘッドセット本体２の下部に重心が移るのを防止でき、装着安定性を確保する。
【図面の簡単な説明】
【００７４】
【図１】本発明の実施形態による耳掛け式ワイヤレスヘッドセットの斜視図である。
【図２】同耳掛け式ワイヤレスヘッドセットの正面図である。
【図３】同耳掛け式ワイヤレスヘッドセットの背面図である。
【図４】同耳掛け式ワイヤレスヘッドセットの左側面図である。
【図５】同耳掛け式ワイヤレスヘッドセットの右側面図である。
【図６】同耳掛け式ワイヤレスヘッドセットの平面図である。
【図７】同耳掛け式ワイヤレスヘッドセットの底面図である。
【図８】同耳掛け式ワイヤレスヘッドセットを耳に装着した状態を示す斜視図である。
【図９】耳掛けハンガー全体の縦断面図である。
【図１０】耳掛けハンガーの耳殻上部から下部にかけての断面形状を示す断面図である。
【図１１】耳掛けハンガーのハンガー軸部の斜視図である。
【図１２】ヘッドセット本体のハンガー取り付け部の断面図である。
【図１３】耳掛けハンガーの回動状態を示す同耳掛け式ワイヤレスヘッドセットの左側面図である。
【図１４】ヘッドセット本体と耳掛けハンガーの分離状態を示す同耳掛け式ワイヤレスヘッドセットの背面図である。
【図１５】耳掛けハンガーの差し替え状態を示す同耳掛け式ワイヤレスヘッドセットの正面図である。
【符号の説明】
【００７５】
１    耳掛け式ワイヤレスヘッドセット
２    ヘッドセット本体
３    耳掛けハンガー
４    耳殻
５    本体ケース
６    イヤホン部
７    マイク部
８    フックスイッチ
９，１０  ボリュームスイッチ
１１  電源用の表示灯
１２  電源スイッチ
１３  充電端子キャップ
１４  充電用の表示灯
１５  ストラップ取り付け孔
１６  第１ケース部
１７  第２ケース部
１８  貫通部
１９  内ケース
２０  外ケース
２１  電池蓋
２２  化粧板
２４  先端放音部
２７  窪み部
２８  ハンガー取り付け部
２９，３０  窪み部
３１  窪み部
３４  ハンガー本体部
３５  ハンガー軸部
３７  スリーブ
３８  貫通孔
３９  ハンガー差し込み位置固定機構
４０  ハンガー回動位置固定機構
４１  結合手段
４２  係止溝
４３  係止突起
４４  板バネ
４５  第１の係止平面
４６  第２の係止平面
５０  Ｕ字溝
５１  被覆
θ１  開き角度
θ２  開き角度
【図１】
2005328118.tif 000003
【図２】
2005328118.tif 000004
【図３】
2005328118.tif 000005
【図４】
2005328118.tif 000006
【図５】
2005328118.tif 000007
【図６】
2005328118.tif 000008
【図７】
2005328118.tif 000009
【図８】
2005328118.tif 000010
【図９】
2005328118.tif 000011
【図１０】
2005328118.tif 000012
【図１１】
2005328118.tif 000013
【図１２】
2005328118.tif 000014
【図１３】
2005328118.tif 000015
【図１４】
2005328118.tif 000016
【図１５】
2005328118.tif 000017